(57)【要約】      （修正有）【課題】ベッド側方からの蒲団のずり落ちを防止すると同時に、病人や老人が安全に且つ安定して自力でベッドの昇降を行なうことを助ける装置を手にて掴みやすく且つ簡単で安価な構造にて提供する。【解決手段】ベッドの上面とその上に載置されたマットまたは敷蒲団とマットまたは敷蒲団の間に差し込まれる扁平な差し込み部１２と、下端を差し込み部により支持されベッド側縁に沿って隔置されて上端まで上向きに延在する一対の丸棒よりなる支柱部１４とを有し、一対の支柱部の隔置距離は人の肩幅よりやゝ大きい程度とされ且つ一対の支柱部間の空隙は人を通過させる大きさとされているベッド用蒲団脱落防止兼昇降補助装置。【選択図】図１
0003197156.tif 000002
【実用新案登録請求の範囲】
【請求項１】
ベッドの上面とその上に載置されたマットまたは敷蒲団の間またはベッドの上に重ね載置されたマットまたは敷蒲団の間に差し込まれるよう構成された扁平な差し込み部と、下端を前記差し込み部により支持されベッド側縁に沿って隔置されて上端まで上向きに延在するよう構成された一対の支柱部とを有し、前記一対の支柱部の隔置距離は人の肩幅よりやゝ大きい程度とされ且つ該一対の支柱部間の空隙は人を通過させる大きさとされており、該一対の支柱部は各々一本の丸棒であることを特徴とするベッド用蒲団脱落防止兼昇降補助装置。
【考案の詳細な説明】
【技術分野】
【０００１】
本考案は、ベッドより蒲団が側方に脱落するのを防止する装置として作用すると同時に、病人や老人が自力でベッドを降りまたベッドへ上るのを補助する装置として作用するベッド用補助装置に係わる。
【背景技術】
【０００２】
ベッドより蒲団が側方に脱落するのを防止しまた病人や老人が自力でベッドを降りまたベッドへ上るのを補助する装置として、本件出願人は、先の特願第２０００−５７２０２号により、下記の特許文献に記載の如き、ベッドの上面とその上に載置されたマットまたは敷蒲団の間またはベッドの上に重ね載置されたマットまたは敷蒲団の間に差し込まれるよう構成された扁平な差し込み部と、下端を前記差し込み部により支持されベッド側縁に沿って隔置されて管材をベッド側縁に沿う方向に逆Ｕ字型に湾曲させた上端まで上向きに延在するよう構成された一対の支柱部とを有し、前記一対の支柱部の隔置距離は人の肩幅よりやゝ大きい程度とされ且つ該一対の支柱部間の空隙は人を通過させる大きさとされていることを特徴とするベッド用蒲団脱落防止兼昇降補助装置を提案した。
【先行技術文献】
【特許文献】
【０００３】
【特許文献１】特開２００１−２４５７５３号（特許第４０１５３４１号）公報
【考案の概要】
【考案が解決しようとする課題】
【０００４】
上記の先の提案によるベッド用蒲団脱落防止兼昇降補助装置に於いては、一対の支柱部は、それぞれ上端部にて逆Ｕ字型に湾曲され下端部にて差し込み部に連結するＵ字型の管材よりなっており、実施例としてではあるが、逆Ｕ字型の上端部より下の部分では、平行に隔置されて延在する管材の間に網材が張られている。この支柱構造の場合、逆Ｕ字型の上端部では、管材を手で握り、また管材を握った手を逆Ｕ字型の上端部の範囲内で管材に沿って自由に滑らせることができるが、逆Ｕ字型の上端部より下の網材が張られた部分では、網材が邪魔して管材部を手で握りにくく、また管材部を手で握ったとしても、管材部を握った手を管材部に沿って滑らせることはできない。結局、この構造の支柱は、逆Ｕ字型の上端部にてのみ手にて掴まれるように作られているものである。しかし、場合によって、かかる支柱は、上端から下端までどこでも手にて握るように掴め、また握った手を少し弛めれば、掴み位置を支柱の上端と下端の間で自由に動かせるように作られていることが望まれる。
【０００５】
本考案は、上記の事情に着目し、ベッド側方からの蒲団のずり落ちを防止すると同時に、病人や老人が安全に且つ安定して自力でベッドの昇降を行なうことを助ける装置を、上端から下端までどこでも手にて握るように掴め、また握った手を少し弛めれば、掴み位置を上端と下端の間で自由に動かせる支柱の構造にて、しかもより簡単な構造に於いて、提供することを課題としている。
【課題を解決するための手段】
【０００６】
上記の課題を解決すべく、本考案は、ベッドの上面とその上に載置されたマットまたは敷蒲団の間またはベッドの上に重ね載置されたマットまたは敷蒲団の間に差し込まれるよう構成された扁平な差し込み部と、下端を前記差し込み部により支持されベッド側縁に沿って隔置されて上端まで上向きに延在するよう構成された一対の支柱部とを有し、前記一対の支柱部の隔置距離は人の肩幅よりやゝ大きい程度とされ且つ該一対の支柱部間の空隙は人を通過させる大きさとされており、該一対の支柱部は各々一本の丸棒であることを特徴とするベッド用蒲団脱落防止兼昇降補助装置を提供するものである。
【考案の効果】
【０００７】
上記の如く、ベッドの上面とその上に載置されたマットまたは敷蒲団の間またはベッドの上に重ね載置されたマットまたは敷蒲団の間に差し込まれるよう構成された扁平な差し込み部と、下端を前記差し込み部により支持されベッド側縁に沿って隔置されて上端まで上向きに延在するよう構成された一対の支柱部とを有し、前記一対の支柱部の隔置距離は人の肩幅よりやゝ大きい程度とされ且つ該一対の支柱部間の空隙は人を通過させる大きさとされているベッド用蒲団脱落防止兼昇降補助装置に於いて、該一対の支柱部が各々一本の丸棒であれば、支柱部は上端から下端までどこでも手にて握るように掴め、また握った手を少し弛めれば、掴み位置を上端と下端の間で自由に動かせる支柱となる。
【図面の簡単な説明】
【０００８】
【図１】本考案によるベッド用蒲団脱落防止兼昇降補助装置を一つの実施例について示す斜視図である。
【図２】図１に示すベッド用蒲団脱落防止兼昇降補助装置を使用状態にて示す斜視図であり、図では、ベッド上の人は両手を脇腹に沿って伸ばして仰向けに寝ている。
【図３】図２に示す状態から始まって、ベッド上の人が右手を上げて支柱部の一つを掴んだ状態を示す斜視図である。
【図４】図３に示す状態から進んで、ベッド上の人が右手で支柱部の一つを掴んだまま両脚を一対の支柱部間に差し入れ、上体を半ば起こした状態を示す斜視図である。
【図５】図４に示す状態から更に進んで、ベッド上の人が右手に加えて左手でも他方の支柱部を掴み、上体を完全に起こした状態を示す斜視図である。
【考案を実施するための形態】
【０００９】
添付の図１に１０にて全体的に示されたベッド用蒲団脱落防止兼昇降補助装置は、扁平な差し込み部１２と、一対の支柱部１４とを有している。図示の実施例では、一対の支柱部１４の各々は、断面が円形の管材１６をＬ字型に折り曲げたものの垂直部よりなっており、扁平な差し込み部１２はＬ字型に折り曲げられた一対の管材１６の水平部とその間に橋渡しされた２つの断面が円形の管材１８、２０とからなっている。管材１６の両端部には、それぞれ円板状部と脚部とを備えたパッド２２が、その脚部にて差し込まれた状態に取り付けられている。管材１８、２０の両端部は幾分扁平化され、管材１６の水平部に突き合わせ溶接されている。
【００１０】
使用に当たっては、ベッド用蒲団脱落防止兼昇降補助装置１０は、その扁平な差し込み部１２が、図２〜図５に例示されている如く、ベッド２４の上面上に載置されたマット２６と敷蒲団２８の間に差し込まれ、一対の支柱部１４がベッドの側縁に沿って隔置されるように設置される。ベッド側縁に沿うベッド用蒲団脱落防止兼昇降補助装置１０の設置位置は、ベッド側縁のほぼ中央であってよい。
【００１１】
図２に示すようにベッド上に寝た人が、ベッドから降りるに当たって、ベッド用蒲団脱落防止兼昇降補助装置１０の支えを得る要領は、図３〜図５に示す通りである。この場合、図３〜図５に示す通り、人は支柱部１４を握るように掴んだ手を、起き上がり度合の進行に連れて支柱部１４に沿って自由に滑らせることができる。
【００１２】
以上に説明した本考案の実施例、特にその差し込み部１２について、本考案の範囲内にて種々の修正が可能であることは当業者にとって明らかであろう。
【符号の説明】
【００１３】
１０…ベッド用蒲団脱落防止兼昇降補助装置、１２…差し込み部、１４…支柱部、１６，１８，２０…管材、２２…パッド、２４…ベッド、２６…マット、２８…敷蒲団
【図１】
0003197156.tif 000003
【図２】
0003197156.tif 000004
【図３】
0003197156.tif 000005
【図４】
0003197156.tif 000006
【図５】
0003197156.tif 000007